(57)【要約】【課題】パワーユニットに、該パワーユニットの出力軸と同軸である円筒状の第１ピボット軸ならびに第１ピボット軸と同軸の第２ピボット軸を介して、スイングアームの前部が揺動可能に支承される自動二輪車のスイングアーム支持構造において、部品点数の低減を図り、スイングアームの取り外しおよび組付け作業を容易とする。【解決手段】外端部をスイングアーム７０の外方に突出させる出力軸６０が、軸線まわりの相対回転を不能としつつ軸線方向の挿脱を可能として減速伝動装置Ｍの最終伝動部材６３に連結され、第１ピボット軸７１はパワーユニットＰＡに着脱可能に取付けられ、第２ピボット軸７２はパワーユニットＰＡもしくはスイングアーム６０に着脱可能に固定される。【選択図】        図４
2006137310.tif 000002
【特許請求の範囲】
【請求項１】
エンジン（ＥＡ，ＥＢ）と、後輪（ＷＲ）に動力を付与する出力軸（６０）を備えるとともに該出力軸（６０）に前記エンジン（ＥＡ，ＥＢ）の出力を減速して伝達する減速伝動装置（Ｍ）とを含んで車体フレーム（Ｆ）に搭載されるパワーユニット（ＰＡ，ＰＢ）に、後輪（ＷＲ）を後部で軸支するスイングアーム（７０）の前部が、前記出力軸（６０）と同軸である円筒状の第１ピボット軸（７１）ならびに第１ピボット軸（７１）と同軸の第２ピボット軸（７２）を介して揺動可能に支承される自動二輪車のスイングアーム支持構造において、外端部を前記スイングアーム（７０）の外方に突出させる前記出力軸（６０）が、軸線まわりの相対回転を不能としつつ軸線方向の挿脱を可能として前記減速伝動装置（Ｍ）の最終伝動部材（６３）に連結され、第１ピボット軸（７１）はパワーユニット（ＰＡ，ＰＢ）に着脱可能に取付けられ、第２ピボット軸（７２）は前記パワーユニット（ＰＡ，ＰＢ）もしくは前記スイングアーム（７０）に着脱可能に固定されることを特徴とする自動二輪車のスイングアーム支持構造。
【請求項２】
第２ピボット軸（７２）が、固定解除状態では前記パワーユニット（ＰＡ，ＰＢ）から軸線方向に離脱可能として前記パワーユニット（ＰＡ，ＰＢ）もしくは前記スイングアーム（７０）に着脱可能に固定されることを特徴とする請求項１記載の自動二輪車のスイングアーム支持構造。
【請求項３】
前記スイングアーム（７０）が一体成形されることを特徴とする請求項１または２記載の自動二輪車のスイングアーム支持構造。
【請求項４】
前記出力軸（６０）の外端部を回転自在に支承する出力軸ホルダ（８５）が、前記出力軸（６０）の外端部を覆うようにして前記スイングアーム（７０）の前部に着脱可能に取付けられることを特徴とする請求項１〜３のいずれかに記載の自動二輪車のスイングアーム支持構造。
【請求項５】
前記スイングアーム（７０）を貫通して前記パワーユニット（ＰＡ，ＰＢ）に螺合される第２ピボット軸（７２）の外端部を固定的に保持し得るピボットホルダ（９７）が、前記スイングアーム（７０）の揺動範囲から外れた部分で前記パワーユニット（ＰＡ，ＰＢ）に設けられた複数のボス部（１００，１０１）に着脱可能に取付けられることを特徴とする請求項１〜４のいずれかに記載の自動二輪車のスイングアーム支持構造。
【発明の詳細な説明】
【技術分野】
【０００１】
本発明は、エンジンと、後輪に動力を付与する出力軸を備えるとともに該出力軸に前記エンジンの出力を減速して伝達する減速伝動装置とを含んで車体フレームに搭載されるパワーユニットに、後輪を後部で軸支するスイングアームの前部が、前記出力軸と同軸である円筒状の第１ピボット軸ならびに第１ピボット軸と同軸の第２ピボット軸を介して揺動可能に支承される自動二輪車のスイングアーム支持構造に関する。
【背景技術】
【０００２】
スイングアームの前部が、パワーユニットの左右両側に該パワーユニットの出力軸と同軸に配置される一対のピボット軸でパワーユニットに揺動可能に支承されるようにしたスイングアーム支持構造が、たとえば特許文献１で既に知られている。
【特許文献１】特開平１１−３４２７５４号公報
【発明の開示】
【発明が解決しようとする課題】
【０００３】
ところが上記特許文献１で開示されたスイングアーム支持構造では、パワーユニットの組立完了状態で出力軸は軸方向に移動を規制された状態でパワーユニットのケーシングに支承されており、前記出力軸を同軸に貫通せしめた第１ピボット軸がパワーユニットに着脱可能に固定され、スイングアームの前部に固定される第２ピボット軸が、軸線まわりの回動を可能としてパワーユニットに嵌合、支持されている。このため、第１ピボット軸のパワーユニットへの固定を解除し、スイングアームへの固定を解除してスイングアームおよびパワーユニットから第２ピボット軸を離脱させても、スイングアームが一体のものではパワーユニットに対するスイングアームの組付けおよび取り外しができず、組付けおよび取り外しを可能とするためにスイングアームが左右に２分割された構造となっており、部品点数が多くなるとともに、スイングアームのパワーユニットに対する組付けおよび取り外し作業が煩雑である。
【０００４】
本発明は、かかる事情に鑑みてなされたものであり、部品点数の低減を図るとともに、パワーユニットに対するスイングアームの取り外しおよび組付け作業を容易として、スイングアームをパワーユニットに支承し得るようにした自動二輪車のスイングアーム支持構造を提供することを目的とする。
【課題を解決するための手段】
【０００５】
上記目的を達成するために、請求項１記載の発明は、エンジンと、後輪に動力を付与する出力軸を備えるとともに該出力軸に前記エンジンの出力を減速して伝達する減速伝動装置とを含んで車体フレームに搭載されるパワーユニットに、後輪を後部で軸支するスイングアームの前部が、前記出力軸と同軸である円筒状の第１ピボット軸ならびに第１ピボット軸と同軸の第２ピボット軸を介して揺動可能に支承される自動二輪車のスイングアーム支持構造において、外端部を前記スイングアームの外方に突出させる前記出力軸が、軸線まわりの相対回転を不能としつつ軸線方向の挿脱を可能として前記減速伝動装置の最終伝動部材に連結され、第１ピボット軸はパワーユニットに着脱可能に取付けられ、第２ピボット軸は前記パワーユニットもしくは前記スイングアームに着脱可能に固定されることを特徴とする。
【０００６】
また請求項２記載の発明は、請求項１記載の発明の構成に加えて、第２ピボット軸が、固定解除状態では前記パワーユニットから軸線方向に離脱可能として前記パワーユニットもしくは前記スイングアームに着脱可能に固定されることを特徴とする。
【０００７】
請求項３記載の発明は、請求項１または２記載の発明の構成に加えて、前記スイングアームが一体成形されることを特徴とする。
【０００８】
請求項４記載の発明は、請求項１〜３のいずれかに記載の発明の構成に加えて、前記出力軸の外端部を回転自在に支承する出力軸ホルダが、前記出力軸の外端部を覆うようにして前記スイングアームの前部に着脱可能に取付けられることを特徴とする。
【０００９】
さらに請求項５記載の発明は、請求項１〜４のいずれかに記載の発明の構成に加えて、前記スイングアームを貫通して前記パワーユニットに螺合される第２ピボット軸の外端部を固定的に保持し得るピボットホルダが、前記スイングアームの揺動範囲から外れた部分で前記パワーユニットに設けられた複数のボス部に着脱可能に取付けられることを特徴とする。
【発明の効果】
【００１０】
請求項１記載の発明によれば、パワーユニットの出力軸が、減速伝動装置の最終伝動部材にその軸線方向の挿脱を可能として連結されているので、パワーユニットから出力軸を軸線方向に挿脱せしめることが可能である。また第１ピボット軸はパワーユニットに着脱可能に取付けられ、第２ピボット軸はパワーユニットもしくはスイングアームに着脱可能に固定されるので、パワーユニットからのスイングアームの取り外し時には、出力軸のパワーユニットからの離脱作業、第１ピボット軸のパワーユニットに対する固定解除作業、ならびに第２ピボット軸をパワーユニットから離脱せしめる作業を行った後に、スイングアームをパワーユニットから外せばよく、またパワーユニットにスイングアームを組付けるときには、上記取り外し作業とは逆の作業を行えばよいので、取り外しおよび組付け作業を容易とするとともにスイングアームを分割することを不要として部品点数を低減することができる。
【００１１】
また請求項２記載の発明によれば、パワーユニットに対するスイングアームの取付けおよび取り外し作業時に、第２ピボット軸が作業の邪魔にならないようにパワーユニットから離脱させておくことができ、取付けおよび取り外し時の作業性向上を図ることができる。
【００１２】
請求項３記載の発明によれば、スイングアームが一体成形されるので、部品点数を低減することができるとともにスイングアームのパワーユニットに対する組付け精度が向上する。また複数部材をボルト等で締結してスイングアームを組み立てるための締結構造が不要となり、スイングアーム自体の高剛性化や、ばね下重量の軽量化に寄与することができる。
【００１３】
請求項４記載の発明によれば、出力軸の支持部材およびカバー部材を兼ねる出力軸ホルダをスイングアームの前部に着脱可能に取付けることにより、外観性を高めるとともに出力軸の支持を確実なものとすることができる。
【００１４】
さらに請求項５記載の発明によれば、第２ピボット軸のパワーユニットへの両持ち支持構造、ならびにパワーユニットに螺合される第２ピボット軸の緩み止めを少ない部品点数で得ることができ、第２ピボット軸のパワーユニットへの支持剛性を高めるとともにスイングアームの揺動支持をより安定化させることができる。
【発明を実施するための最良の形態】
【００１５】
以下、本発明の実施の形態を、添付の図面に示した本発明の実施例に基づいて説明する。
【００１６】
図１〜図７は本発明の第１実施例を示すものであり、図１は自動二輪車の側面図、図２は自動二輪車の前部の拡大縦断側面図、図３は図１の３−３線断面図、図４は図３の４矢示部拡大図、図５は図４の５−５線断面図、図６は図４の６−６線矢視図、図７は図４の７−７線矢視図である。
【００１７】
先ず図１において、このスクータ型自動二輪車の車体フレームＦは、前輪ＷＦを軸支するフロントフォーク１５ならびに該フロントフォーク１５に連結される操向ハンドル１６を操向可能に支承するヘッドパイプ１７と、該ヘッドパイプ１７から後ろ下がりに延びる左右一対のダウンパイプ１８…と、それらのダウンパイプ１８…の下方で前記ヘッドパイプ１７に連設されるとともに両ダウンパイプ１８…よりも急傾斜で後下がりに延びる左右一対のロアパイプ１９…と、それらのロアパイプ１９…の下端に連設されて後方に延びるとともに前記両ダウンパイプ１８…の後端が中間部に連設される左右一対のメインパイプ２０…とを備える。
【００１８】
前記ロアパイプ１９…の下端にはそれらのロアパイプ１９…の延長方向に延びるエンジンハンガブラケット１９ａ…が接合される。前記メインパイプ２０…は、ロアパイプ１９…および前記エンジンハンガブラケット１９ａ…の接合部近傍から後方に延出されるものである。また左右で対をなすダウンパイプ１８…およびロアパイプ１９…の中間部間には補強用連結板２１…が設けられる。
【００１９】
図２を併せて参照して、前記メインパイプ２０は、前記ロアパイプ１９のたとえば下端から後上がりに延びる前半傾斜部２０ａと、後下がりに延びる後半傾斜部２０ｂと、上方に膨らむように彎曲して前半傾斜部２０ａの後端および後半傾斜部２０ｂの前端間を結ぶ彎曲部２０ｃとが一体に連なって成るものであり、上下方向を左右方向よりも長くした略直角四辺形の角筒から成る。しかも前記前半傾斜部２０ａの中間部に前記ダウンパイプ１８の下端が溶接により連設される。
【００２０】
前記後半傾斜部２０ｂの前部には後上がりに延びるシートレール２３の前端が連結され、左右一対のシートレール２３…の後部は相互に一体に連結される。またシートレール２３…の後部には、前端を後半傾斜部２０ｂの後端に接合せしめて後上がりに延びるリヤパイプ２４…の後端がそれぞれ溶接により接合される。さらに左右で対をなすシートレール２３…およびリヤパイプ２４…の中間部間には補強用連結板２５…が設けられる。
【００２１】
車体フレームＦには、４サイクルであるエンジンＥＡと、該エンジンＥＡの出力を減速して後輪ＷＲに伝達する減速伝動装置Ｍとから成るパワーユニットＰＡが、後輪ＷＲを駆動すべく搭載される。前記エンジンＥＡは、たとえば水冷式単気筒に構成されるものであり、クランクケース２８と、上下に延びるシリンダ軸線を有してクランクケース２８から起立したシリンダブロック２９と、シリンダブロック２９の上端に結合されるシリンダヘッド３０と、シリンダヘッド３０の頂部に結合されるヘッドカバー３１とを備える。
【００２２】
ところで前記車体フレームＦにおけるダウンパイプ１８…の下端近傍で前記両メインパイプ２０…の前半傾斜部２０ａ…には第１のエンジンハンガ３２…が設けられており、前記エンジンＥＡにおけるシリンダブロック２９の前方でクランクケース２８の上部が第１のエンジンハンガ３２…に支持され、シリンダブロック２９およびシリンダヘッド３０は、両メインパイプ２０…の彎曲部２０ｃ…間に配置される。またロアパイプ１９…の下端に連なるエンジンハンガブラケット１９ａ…の下端には、第２のエンジンハンガ３３…が一対のボルト４３…で取付けられており、前記クランクケース２８の前側下部が第２のエンジンハンガ３３…にボルト４４で締結、支持される。
【００２３】
このようにして剛性の高い部分でエンジンＥＡを両メインパイプ２０…に支持することができ、しかも第１のエンジンハンガ３２…は前記ダウンパイプ１８…の中心線の延長線を両側から挟む一対のボルト２６…の締結によって両メインパイプ２０…の前半傾斜部２０ａ…に設けられ、前記エンジンＥＡのクランクケース２８は、前記ダウンパイプ１８…の中心線の延長線上に配置されるボルト２７の締結により第１のエンジンハンガ３２…に支持されるものであり、効率よくかつ剛性をより高くしてクランクケース２８を第１のエンジンハンガ３２…に支持することができる。
【００２４】
図３において、クランクケース２８に回転自在に支承されるクランクシャフト３４は、一対のクランクウエブ３４ａ，３４ａと、それらのクランクウエブ３４ａ，３４ａ間を結ぶクランクピン３４ｂとを一体に備えるものであり、シリンダブロック２９に摺動自在に嵌合されるピストン３５は、前記両クランクウエブ３４ａ，３４ａ間のクランクピン３４ｂにコネクティングロッド３６を介して連結される。
【００２５】
自動二輪車の進行方向に沿う左側で、クランクシャフト３４の一端部はクランクケース２８から突出されており、このクランクシャフト３４の一端部に固定されるロータ３７と、該ロータ３７内に収容されるステータ３８とでＡＣ発電機３９が構成され、該ＡＣ発電機３９は、クランクケース２８に結合される左カバー４０で覆われ、前記ステータ３８は左カバー４０に固定される。
【００２６】
また前記シリンダヘッド３０に配設される吸気弁および排気弁（図示せず）を開閉駆動する動弁装置の一部を構成するようにして前記シリンダヘッド３０に回転自在に支承されるカムシャフト４１と、前記クランクケース２８およびＡＣ発電機３９間のクランクシャフト３４との間には、調時伝動装置４２が設けられており、クランクシャフト３４の回転動力は前記調時伝動装置４２によって１／２に減速されて前記カムシャフト４１に伝達される。
【００２７】
自動二輪車の進行方向に沿う右側で前記クランクケース２８には、該クランクケース２８から後方に延びるケース主体４５が連結されており、このケース主体４５の右側に締結される右カバー４６と、前記ケース主体４５の後部右側に締結されるギヤケース４７と、前記ケース主体４５とで変速機ケース４８が構成され、ケース主体４５および右カバー４６間には変速室４９が形成され、ケース主体４５およびギヤケース４７間にはギヤ室５０が形成される。
【００２８】
減速伝動装置Ｍは、クランクシャフト３４の回転動力を無段階に変速するベルト式の無段変速機５１と、該無段変速機５１の出力を減速する減速ギヤ列５２と、該減速ギヤ列５２で減速された動力を後輪ＷＲに付与するための出力軸６０とを備えるものであり、無段変速機５１は前記変速室４９に収納され、減速ギヤ列５２はギヤ室５０に収納される。
【００２９】
無段変速機５１は、変速室４９内に臨むクランクシャフト３４の他端部に装着されるドライブプーリ５３と、クランクシャフト３４と平行な軸線を有して変速機ケース４８の後部に回転自在に支承される伝動軸５４の変速室４９内に臨む部分に装着されるドリブンプーリ５５と、ドライブプーリ５３およびドリブンプーリ５５に巻き掛けられる無端状のベルト５６とを備える。
【００３０】
ドライブプーリ５３は、図示しない電動モータ等の作動によって前記クランクシャフト３４の軸方向にスライドするスライド筒５７のスライド動作によって前記ベルト５６の巻き掛け半径を変化させるものである。またドリブンプーリ５５は、ドライブプーリ５３でのベルト５６の巻き掛け半径の変化に応じて巻き掛け半径をドライブプーリ５３とは反対側に変化させるものであり、このドリブンプーリ５５および伝動軸５４間に遠心クラッチ５８が介装される。
【００３１】
前記伝動軸５４の他端側はギヤ室５０に臨んで配置されており、ギヤ室５０内に収納される減速ギヤ列５２は、前記伝動軸５４の他端側に一体に形成される駆動ギヤ６１と、該駆動ギヤ６１に噛合するアイドルギヤ６２と、該アイドルギヤ６２に噛合する被動ギヤ６３とで構成されるものであり、アイドルギヤ６２および被動ギヤ６３は、前記伝動軸５４と平行な軸線まわりに回転自在にしてケース主体４５およびギヤケース４７に支承される。
【００３２】
図４を併せて参照して、減速伝動装置Ｍにおける最終伝動部材である前記被動ギヤ６３は円筒状の軸部６３ａを中心部に一体に有するものであり、該軸部６３ａの一端部は、変速機ケース４８におけるケース主体４５の後部に一体に形成される軸受ハウジング４５ａにボールベアリング６４を介して回転自在に支承される。また前記変速機ケース４８におけるギヤケース４７の後部には、前記軸受ハウジング４５ａに対応した円形の開口部６５が設けられており、前記軸部６３ａの他端部は開口部６５内に同軸に配置される。しかも軸部６３ａの外周および開口部６５の内周間にボールベアリング６６が介装されるとともに、ボールベアリング６６の外方に位置する環状のシール部材６７が介装される。
【００３３】
前記被動ギヤ６３の軸部６３ａには、ギヤケース４７の後部を貫通してギヤケース４７の後部左側に一部を突出せしめる出力軸６０がスプライン６８により結合される。すなわち出力軸６０は、軸線まわりの相対回転を不能としつつ軸線方向の挿脱を可能として被動ギヤ６３に同軸に連結される。
【００３４】
ところで後輪ＷＲの車軸６９はスイングアーム７０の後部に軸支されており、このスイングアーム７０は、前記後輪ＷＲの両側方および前方に配置されるようにして略Ｕ字状に形成されるスイングアーム主部７０ａと、前記変速機ケース４８の一部を構成するケース主体４５およびギヤケース４７の後部間を相互に挟むようにしてスイングアーム主部７０ａの前部に一体に設けられる一対の支持腕部７０ｂ，７０ｃとを有して一体成形されるものであり、両支持腕部７０ｂ，７０ｃは、第１ピボット軸７１と、第１ピボット軸７１と同軸の第２ピボット軸７２を介してパワーユニットＰＡの後部に揺動可能に支承され、第１および第２ピボット軸７１，７２は前記出力軸６０と同軸に配置される。
【００３５】
図５を併せて参照して、変速機ケース４８におけるギヤケース４７の後部外面には、第１ピボット軸７１が着脱可能に取付けられる。この第１ピボット軸７１は、前記出力軸６０のギヤケース４７からの突出部を同軸に囲繞するようにして円筒状に形成されており、第１ピボット軸７１のギヤケース４７側の端部に一体に設けられて側方に張出すフランジ部７１ａが、第１ピボット軸７１の周方向に間隔をあけて配置される複数個たとえば４個のボルト７３Ａ，７３Ａ，７３Ａ，７３Ｂにより変速機ケース４８に着脱可能に締結される。しかも前記フランジ部７１ａは、前記ボルト７３Ａ…，７３Ｂを緩めた取付け解除状態では第１ピボット軸７１の軸線とほぼ直交する平面に沿って移動し得るように形成されており、第１ピボット軸７１は、出力軸６０を離脱せしめるとともにパワーユニットＰＡの変速機ケース４８への取付けを解除した状態では、軸線とほぼ直交する方向に移動することがパワーユニットＰＡから離脱することができる。
【００３６】
前記各ボルト７３Ａ…，７３Ｂの大部分、この実施例では４個のうち３個のボルト７３Ａ…は、側面視で変速機ケース４８の外周部に配置される。一方、変速機ケース４８の外周部には、ケース主体４５およびギヤケース４７を相互に締結するための複数のボルト７４，７４…が相互に間隔をあけて配置されており、ケース主体４５に挿通された前記各ボルト７４，７４…がギヤケース４７に螺合される。而して変速機ケース４８の外周部に配置される前記ボルト７３Ａ…は、ケース主体４５およびギヤケース４７を相互に締結すべくケース主体４５およびギヤケース４７の外周部に沿って配列される複数の前記ボルト７４…の配列位置にほぼ対応した位置に配置されるものであり、第１ピボット軸７１を変速機ケース４８に固定するだけでなくケース主体４５およびギヤケース４７を締結するために、フランジ部７１ａおよびギヤケース４７に挿通される各ボルト７３Ａ…はケース主体４５に螺合される。
【００３７】
このように第１ピボット軸７１を変速機ケース４８に固定するためのボルト７３Ａ…，７３Ｂの大部分７３Ａ…が、側面視で変速機ケース４８の外周部に配置されることにより、変速機ケース４８のうち剛性の高い部分に第１ピボット軸７１を固定することができ、自動二輪車の走行時等で第１ピボット軸７１に荷重が作用しても変速機ケース４８のギヤケース４７側で変形が生じ難いようにすることができ、それによりギヤケース４７内の各ギヤ６１〜６３の軸部に不要な歪みが生じることがないようにすることができる。しかも前記ボルト７３Ａ…は、ケース主体４５およびギヤケース４７を相互に締結する機能をも果たすものであり、ケース主体４５およびギヤケース４７の締結および第１ピボット軸７１の変速機ケース４８への取付けに必要なボルト本数を低減することができる。
【００３８】
前記第１ピボット軸７１に挿通される出力軸６０と、第１ピボット軸７１との間には、ニードルベアリング７５と、該ニードルベアリング７５の内、外両側に配置される環状のシール部材７６，７７とが介装される。
【００３９】
スイングアーム７０における支持腕部７０ｂには、前記出力軸６０と、第１ピボット軸７１とを貫通させる支持孔７８が設けられており、第１ピボット軸７１の外周および支持孔７８の内周間には、ニードルベアリング７９と、該ニードルベアリング７９の内、外両側に配置される環状のシール部材８０，８１とが介装される。このように第１ピボット軸７１がスイングアーム７０の支持腕部７０ｂを貫通していることにより、スイングアーム７０の揺動支持を安定化させることができ、また出力軸６０を確実に支持することができる。
【００４０】
前記出力軸６０の外端部は、スイングアーム７０における支持腕部７０ｂから外方に突出されるものでり、この出力軸６０のスイングアーム７０からの突出部には駆動スプロケット８２が固定される。一方、図１で示すように、自動二輪車の進行方向に沿う左側で後輪ＷＲの車軸６９には従動スプロケット８３が固定されており、駆動スプロケット８２および従動スプロケット８３に無端状のチェーン８４が巻き掛けられる。
【００４１】
図６を併せて参照して、スイングアーム７０における支持腕部７０ｂの前端外面側には前記出力軸６０の外端部を覆う出力軸ホルダ８５が取付けられる。この出力軸ホルダ８５は、前記出力軸６０の外端を覆うようにして円形の皿状に形成される軸受ハウジング部８５ａと、該軸受ハウジング部８５ａの周方向に間隔をあけた３箇所から外側方に延出される取付け腕部８５ｂ，８５ｃ，８５ｄとを一体に有するものであり、前記出力軸６０の外端部は前記軸受ハウジング部８５ａにボールベアリング８６を介して回転自在に支承される。
【００４２】
前記取付け腕部８５ｂ〜８５ｄのうち８５ｂは、軸受ハウジング部８５ａから後方に延出されるものであり、この取付け腕部８５ｂの先端部はボルト８７によってスイングアーム７０の左側面に着脱可能に締結される。また残余の取付け腕部８５ｃ，８５ｄは、前記軸受ハウジング部８５ａから上方および下方に延びるものであり、これらの取付け腕部８５ｃ，８５ｄの先端部は、前記スイングアーム７０における支持腕部７０ｂの上部および下部にそれぞれ一体に設けられる支持板部７０ｄ，７０ｅにボルト８８，８８によって着脱可能に締結される。
【００４３】
ところで、出力軸６０に固定される駆動スプロケット８２の前半部は前記出力軸ホルダ８５の軸受ハウジング部８５ａから前方に露出するように配置されるものであり、駆動スプロケット８２の前方には該駆動スプロケット８２の前半部を前方から覆うようにして半円状に形成される保護板８９が配置される。
【００４４】
前記支持板部７０ｄ，７０ｅには円筒状のスペーサ９０…（図４参照）の一端が当接されており、それらのスペーサ９０…の他端および前記取付け腕部８５ｃ，８５ｄ間に前記保護板８９が挟まれる。しかも取付け腕部８５ｃ，８５ｄ、保護板８９およびスペーサ９０…に挿通される前記ボルト８８…が支持板部７０ｄ，７０ｅに螺合される。
【００４５】
第２ピボット軸７２は、スイングアーム７０における支持腕部７０ｃを貫通してパワーユニットＰＡに着脱可能に固定されるものであり、この実施例では、パワーユニットＰＡの変速機ケース４８におけるケース主体４５にインサート結合された円筒体９１に螺合されるボルトであるる。
【００４６】
スイングアーム７０の前記支持腕部７０ｃには、第２ピボット軸７２を貫通せしめる支持孔９２が設けられており、第２ピボット軸７２の外周および支持孔９２の内周間には、一対のボールベアリング９３，９３が介装され、それらのボールベアリング９３…の内輪は、第２ピボット軸７２の外周に設けられる環状段部７２ａと、前記円筒体９１の外端に一端を当接させて第２ピボット軸７２を同軸に囲繞する円筒状のスペーサ９４の他端との間に挟まれる。また前記両ボールベアリング９３…の内方側でスペーサ９４の外周および支持孔９２の内周間には環状のシール部材９５が介装され、前記両ボールベアリング９３…の外方側で第２ピボット軸７２の外周および支持孔９２の内周間には環状のシール部材９６が介装される。
【００４７】
図７を併せて参照して、第２ピボット軸７２の外端部は前記変速機ケース４８のケース主体４５に着脱可能に取付けられるピボットホルダ９７で固定的に保持される。このピボットホルダ９７は、周方向１箇所に割り溝９８を有して略円形に形成される保持部９７ａと、該保持部９７ａから側方に張り出す取付け部９７ｂとを一体に有するものであり、前記保持部９７ａには、前記割り溝９８を跨ぐボルト９９が螺合される。而して保持部９７ａに第２ピボット軸７２の外端部を挿通せしめた状態でボルト９９を締めつけることで第２ピボット軸７２の外端部が保持部９７ａで固定的に保持される。
【００４８】
一方、スイングアーム７０の揺動範囲から外れた部分で前記パワーユニットＰＡの変速機ケース４８におけるケース主体４５には、複数たとえば２つのボス部１００，１０１が前記ピボットホルダ９７の取付け部９７ｂに当接するようにして一体に当接されており、それらのボス部１００，１０１には前記取付け部９７ｂが２つずつのボルト１０２，１０２…によって着脱可能に固定される。
【００４９】
前記変速機ケース４８の後部には上方に延びる一対のブラケット１０６…が設けられており、それらのブラケット１０６…は、メインパイプ２０…の後端部に支持される。また図１で明示するように、変速機ケース４８の後方側下部には、一対のメインスタンド軸１０７…が同軸に設けられており、それらのメインスタンド軸１０７…でメインスタンド１０８が回動可能に軸支される。また前記両メインパイプ２０…における彎曲部２０ｃ…間にはクロスパイプ１０９が架設されており、このクロスパイプ１０９と、前記スイングアーム７０の前部に設けられたクッション用ブラケット１１１との間に、前後に延びる軸線を有するリヤクッション１１０が設けられる。
【００５０】
図２に注目して、シリンダヘッド３０の前方側側面には、該シリンダヘッド３０から前方に延びる吸気管１１２の下流端が接続され、該吸気管１１２の接続部付近でシリンダヘッド３０に燃料噴射弁１１３が取付けられる。また前記吸気管１１２の上流端はスロットルボディ１１４を介してエアクリーナ１１５に接続される。
【００５１】
エアクリーナ１１５の前部下方には、水冷式であるエンジンＥＡで温められたエンジン冷却水を冷却するためのラジエータ１１６が該エンジンＥＡよりも前方に位置するようにして配置される。ラジエータ１１６の下部には、車体フレームＦが備えるエンジンハンガブラケット１９ａ…側に向けて突出する取付け腕部１１７…が設けられ、この取付け腕部１１７…は、エンジンハンガブラケット１９ａ…に設けられたブラケット１１８…にマウントゴム１１９…を介して支持される。またラジエータ１１６の上部には、その上方のロアパイプ１９…側に向けて突出する取付け腕部１２０…が設けられ、ロアパイプ１９…に設けられたブラケット１２１…に、前記取付け腕部１２０…がマウントゴム（図示せず）を介して支持される。すなわちラジエータ１１６は、車体フレームＦのロアパイプ１９…およびエンジンハンガブラケット１９ａ…に支持される。
【００５２】
エンジンＥＡにおけるシリンダヘッド３０の後部側面には排気管１２２の上流端が接続され、この排気管１２２の下流端は後輪ＷＲの右側に配置される排気マフラー１２３に接続される。
【００５３】
図１に注目して、車体フレームＦおよびパワーユニットＰＡは、合成樹脂から成る車体カバー１２５で覆われるものであり、この車体カバー１２５は、ヘッドパイプ１７の前部および前輪ＷＦの上部を覆うフロントカバー１２６と、ヘッドパイプ１７を後方側から覆ってフロントカバー１２６に連なるセンターカバー１２７と、前記フロントカバー１２６の左右両側に接合されて乗員の脚部前方を覆う左右一対のレッグシールド１２８…と、両レッグシールド１２８…およびセンターカバー１２７に連なるフロアトンネル部１２９と、車体フレームＦの後部の左右両側を覆うリヤカバー１３０とを備える。
【００５４】
乗車用シート１３１の下方には、該乗車用シート１３１の底板１３２で上端開口部が開閉可能に閉鎖されるようにして収納ボックス１３４が配置され、該収納ボックス１３４は、前記メインパイプ２０…およびシートレール２３…で支持される。
【００５５】
ところで収納ボックス１３４は、車体フレームＦのクロスパイプ１０９およびスイングアーム７０間に設けられて前後に延びるリヤクッション１１０の上方に配置されるものであり、収納ボックス１３４の底部は、リヤクッション１１０を上方から跨ぐようにして下方に開いた略Ｕ字状の横断面形状を有するように形成される。
【００５６】
また収納ボックス１３４の後方には、乗車用シート１３１を開くことにより給油することを可能とした燃料タンク１３５が配置されており、この燃料タンク１３５は、リヤパイプ２４…の後部に弾性支持される。
【００５７】
次にこの第１実施例の作用について説明すると、パワーユニットＰＡが備える出力軸６０は、軸線まわりの相対回転を不能としつつ軸線方向の挿脱を可能として減速伝動装置Ｍの最終伝動部材である被動ギヤ６３に連結されるとともに、スイングアーム７０の外方に外端部を突出するように配置されている。一方、スイングアーム７０の前部は、出力軸６０を同軸に貫通せしめる円筒状の第１ピボット軸７１と、第１ピボット軸７１と同軸である第２ピボット軸７２を介して、パワーユニットＰＡにおける変速機ケース４８に揺動可能に支承されるものであり、第１ピボット軸７１は、取付け解除状態ではその軸線とほぼ直交する平面に沿って移動してパワーユニットＰＡの前記変速機ケース４８から離脱することを可能として変速機ケース４８に着脱可能に取付けられ、第２ピボット軸７２は、固定解除状態ではパワーユニットＰＡの変速機ケース４８から軸線方向に離脱することを可能として変速機ケース４８に着脱可能に固定されている。
【００５８】
このようなスイングアーム７０のパワーユニットＰＡへの揺動支持構造によれば、パワーユニットＰＡからのスイングアーム７０の取り外し時には、出力軸ホルダ８５をスイングアーム７０から取り外した状態での出力軸６０のパワーユニットＰＡからの離脱作業、第１ピボット軸７１のパワーユニットＰＡに対する固定解除作業、ならびに第２ピボット軸７２をパワーユニットＰＡから離脱せしめる作業を行った後に、スイングアーム７０をパワーユニットＰＡから外せばよく、またパワーユニットＰＡにスイングアーム７０を組付けるときには、上記取り外し作業とは逆の作業を行えばよい。したがってパワーユニットＰＡに対するスイングアーム７０の取り外しおよび組付け作業を容易とすることができるとともに、スイングアーム７０を分割することを不要として部品点数を低減することができる。また第２ピボット軸７２が、その固定解除状態ではパワーユニットＰＡから軸線方向に離脱可能としてパワーユニットＰＡに着脱可能に固定されることにより、パワーユニットＰＡに対するスイングアーム７０の取付けおよび取り外し作業時に、第２ピボット軸７２を作業の邪魔にならないようにパワーユニットＰＡから離脱させておくことができ、取付けおよび取り外し時の作業性向上を図ることができる。
【００５９】
しかもスイングアーム７０が一体成形されることにより、部品点数を低減することができるとともにスイングアーム７０のパワーユニットＰＡに対する組付け精度を向上せしめることができる。また複数部材をボルト等で締結してスイングアーム７０を組み立てるための締結構造が不要となり、スイングアーム７０自体の高剛性化や、ばね下重量の軽量化に寄与することができる。
【００６０】
また出力軸ホルダ８５が、出力軸６０の外端部を覆うとともに出力軸６０の外端部を回転自在に支承するようにしてスイングアーム７０の前部に着脱可能に取付けられているので、出力軸ホルダ８５は、出力軸６０の支持部材およびカバー部材を兼ねることになり、外観性を高めるとともに出力軸６０の支持を確実なものとすることができる。
【００６１】
さらにスイングアーム７０を貫通してパワーユニットＰＡにおける変速機ケース４８に螺合される第２ピボット軸７２の外端部が、スイングアーム７０の揺動範囲から外れた部分でパワーユニットＰＡの変速機ケース４８に設けられた複数のボス部１００，１０１に着脱可能に取付けられるピボットホルダ９７で固定的に保持されるので、第２ピボット軸７２のパワーユニットＰＡへの両持ち支持構造、ならびにパワーユニットＰＡに螺合される第２ピボット軸７２の緩み止めを少ない部品点数で得ることができ、第２ピボット軸７２のパワーユニットＰＡへの支持剛性を高めるとともにスイングアーム７０の揺動支持をより安定化させることができる。
【００６２】
図８は本発明の第２実施例の自動二輪車の側面図を示すものであり、上記第１実施例に対応する部分には同一の参照符号を付す。
【００６３】
このスクータ型自動二輪車の車体フレームＦには、４サイクルであるエンジンＥＢと、該エンジンＥＢの出力を減速して後輪ＷＲに伝達する減速伝動装置Ｍとから成るパワーユニットＰＢが、後輪ＷＲを駆動すべく搭載される。前記エンジンＥＢは、たとえば水冷式２気筒のＶ型に構成されるものであり、クランクケース２８から上方に立ち上がる後部バンクＢＲと、該後部バンクＢＲとＶ形をなすようにしてわずかに前上がりに前傾したシリンダ軸線を有してクランクケース２８から前方に延びる前部バンクＢＦとを有する。
【００６４】
このパワーユニットＰＢに、後部で後輪ＷＲを軸支するスイングアーム７０の前部が、上記第１実施例と同様の支持構造で揺動支持される。
【００６５】
この第２実施例によっても上記第１実施例と同様の効果を奏することができる。
【００６６】
以上、本発明の実施例を説明したが、本発明は上記実施例に限定されるものではなく、特許請求の範囲に記載された本発明を逸脱することなく種々の設計変更を行うことが可能である。
【００６７】
たとえば上記実施例では、第２ピボット軸７２がパワーユニットＰＡ，ＰＢに着脱可能に固定される構成としたが、スイングアーム７０に着脱可能に固定される第２ピボット軸７２が挿脱可能としてパワーユニットＰＡ，ＰＢに支承される構成とすることも可能である。また第２ピボット軸が、パワーユニットＰＡ，ＰＢもしくはスイングアーム７０にボルト等で着脱可能に締結されるものであってもよい。
【図面の簡単な説明】
【００６８】
【図１】第１実施例の自動二輪車の側面図である。
【図２】自動二輪車の前部の拡大縦断側面図である。
【図３】図１の３−３線断面図である。
【図４】図３の４矢示部拡大図である。
【図５】図４の５−５線断面図である。
【図６】図４の６−６線矢視図である。
【図７】図４の７−７線矢視図である。
【図８】第２実施例の自動二輪車の側面図である。
【符号の説明】
【００６９】
６０・・・出力軸
６３・・・最終伝動部材としての被動ギヤ
７０・・・スイングアーム
７１・・・第１ピボット軸
７２・・・第２ピボット軸
８５・・・出力軸ホルダ
９７・・・ピボットホルダ
１００，１０１・・・ボス部
ＥＡ，ＥＢ・・・エンジン
Ｆ・・・車体フレーム
Ｍ・・・減速伝動装置
ＰＡ，ＰＢ・・・パワーユニット
ＷＲ・・・後輪
【図１】
2006137310.tif 000003
【図２】
2006137310.tif 000004
【図３】
2006137310.tif 000005
【図４】
2006137310.tif 000006
【図５】
2006137310.tif 000007
【図６】
2006137310.tif 000008
【図７】
2006137310.tif 000009
【図８】
2006137310.tif 000010